(57)【特許請求の範囲】
【請求項１】
上澄水を回収する環状の越流樋（５１）を沈殿槽本体（１）における内周面が円筒状の周壁（１１）の上部に沿って内側に離して固定すると共に、
越流樋（５１）の形状を、平面視して沈殿槽本体（１）の中心に対して同心円状に内外に配置される内周片（５５）及び外周片（５４）、並びに外周片（５４）と内周片（５５）の双方の下端部を繋ぐ樋底（５６）によって断面が上向きに開口する溝形状に形成し、
沈殿槽本体（１）の周壁（１１）と越流樋（５１）の外周片（５４）との間を上澄水回収領域、内周片（５５）で囲まれた領域をスカム回収領域とし、
スカム回収領域において沈殿槽本体（１）の中心に回転軸（１６）を設け、水面付近において回転軸（１６）の外周近傍から放射状に延長する平面視扇状のガイド板（４２）を設け、ガイド板（４２）の円周方向奥側に配置されるスカム排出樋（４３）を越流樋（５１）の内周片（５５）に固定し、回転軸（１６）に対して放射状に延長する状態でスカム掻寄板（４１）を固定し、スカム掻寄板（４１）の放射状に延長する方向の外側先端と越流樋（５１）の内周片（５５）との間に隙間（Ｓ）が形成され、
外周片（５４）は、その頂部が波形形状に形成される円筒状であって、上澄水を回収する越流堰として機能するために、内周片（５５）よりも低く形成されると共に沈殿槽本体（１）の周壁（１１）に対して内側に離して取り付けられるものであり、
内周片（５５）は、樋底（５６）の内周端から上方向にのみ延長する円筒状であり、
樋底（５６）の底面は、外周部が内周部よりも低く形成されているテーパー面であると共に、周壁（１１）内周面の全周から複数個所において突出するブラケット（５３）により支持されることを特徴とする沈殿槽。
【請求項２】
越流樋（５１）は、上向きに開口する断面溝形で且つ平面視して円形の樋上部（６１）と、樋上部（６１）の下端の内周端及び外周端に接合する断面Ｖ字状の樋下部（６５）とを備え、
樋上部（６１）の半径方向内側に位置する内片（６２）が内周片（５５）であり、樋上部（６１）の半径方向外側に位置する外片（６３）が外周片（５４）の上部であり、
樋下部（６５）のＶ字状の一片（６６）が外周片（５４）の下部であり、樋下部（６５）のＶ字状の他片（６７）が樋底（５６）であることを特徴とする請求項１記載の沈殿槽。
【発明の詳細な説明】
【技術分野】
【０００１】
本発明は、汚泥処理施設や下水処理施設等において用いられる沈殿槽（沈殿池）の上澄水を回収する越流樋を用いる沈殿槽に関する。
【背景技術】
【０００２】
沈殿槽では、次のようにして汚濁水から汚泥及びスカムを除去する。沈殿槽に汚濁水が流入されると、汚泥が底に沈んでいき、スカムが浮上する。汚泥は沈殿槽本体の底で回転する汚泥掻寄板によって掻き寄せられて回収され、スカムは沈殿槽本体の水面上で回転するスカム掻寄板によって掻き寄せられて、ガイド板の上に導かれた後にその奥側に隣接するスカム排出樋に落下し、回収される。一方、汚泥及びスカムが除去された汚水（上澄水）は越流樋に回収されて別の槽に放出される。
【０００３】
一般的な越流樋は、上向きに開口する溝であって、平面視すると沈殿槽本体の周壁の上部においてその内周全周に亘って環状に設けられている（特許文献１）。そして、溝の内周側が越流堰となっており、汚水は越流堰を乗り越えて回収される。
【先行技術文献】
【特許文献】
【０００４】
【特許文献１】特開２００７−２５３１３４号公報
【発明の概要】
【発明が解決しようとする課題】
【０００５】
ところが、スカム排出樋に回収されるべきスカムが、汚水と一緒に越流堰を乗り越えてくることがある。これは、越流樋の内周側に位置する越流堰が、スカムの回収領域の外周に面していることに起因する。つまり、平面視ドーナツ形状の越流堰で囲まれた領域にスカムが溜まるので、汚水とある程度のスカムが一緒に越流堰を乗り越えてくるのである。
【０００６】
本発明は上記実情を考慮して創作されたもので、その解決しようとする課題は越流樋に回収される汚水にスカムができるだけ含まれないようにすることである。
【課題を解決するための手段】
【０００７】
本発明の沈殿槽は、上澄水を回収する環状の越流樋を沈殿槽本体における内周面が円筒状の周壁の上部に沿って内側に離して固定すると共に、越流樋の形状を、平面視して沈殿槽本体の中心に対して同心円状に内外に配置される内周片及び外周片、並びに外周片と内周片の双方の下端部を繋ぐ樋底によって断面が上向きに開口する溝形状に形成し、沈殿槽本体の周壁と越流樋の外周片との間を上澄水回収領域、内周片で囲まれた領域をスカム回収領域とし、スカム回収領域において沈殿槽本体の中心に回転軸を設け、水面付近において回転軸の外周近傍から放射状に延長する平面視扇状のガイド板を設け、ガイド板の円周方向奥側に配置されるスカム排出樋を越流樋の内周片に固定し、回転軸に対して放射状に延長する状態でスカム掻寄板を固定し、スカム掻寄板の放射状に延長する方向の外側先端と越流樋の内周片との間に隙間が形成され、外周片は、その頂部が波形形状に形成される円筒状であって、上澄水を回収する越流堰として機能するために、内周片よりも低く形成されると共に沈殿槽本体の周壁に対して内側に離して取り付けられるものであり、内周片は、樋底の内周端から上方向にのみ延長する円筒状であり、樋底の底面は、外周部が内周部よりも低く形成されているテーパー面であると共に、周壁内周面の全周から複数個所において突出するブラケットにより支持されることを特徴とする。
【０００８】
また、越流樋は、上向きに開口する断面溝形で且つ平面視して円形の樋上部と、樋上部の下端の内周端及び外周端に接合する断面Ｖ字状の樋下部とを備え、樋上部の半径方向内側に位置する内片が内周片であり、樋上部の半径方向外側に位置する外片が外周片の上部であり、樋下部のＶ字状の一片が外周片の下部であり、樋下部のＶ字状の他片が樋底であることが望ましい。
【発明の効果】
【０００９】
本発明は、越流樋の内周片を外周片よりも高くし、外周片を越流堰としてあるので、外周片とその外側の沈殿槽本体の周壁との間から汚水（上澄水）が外周片を乗り越えて流入することになる。従って、内周片の内側に浮上したスカムは、外側への移動を内周片によって阻止されることから、越流樋に回収される汚水には、スカムが殆ど含まれないようになる。
【００１０】
また、樋底の底面の外周部がその内周部よりも低く形成されているので、樋底の底面に浮上するスカムが樋底の形状に沿って越流樋の内側に導かれることになる。その結果、越流樋に回収される汚水には、スカムが一段と含まれないようになる。
【００１１】
さらに、樋底の底面がテーパー面となっているので、樋底の底面に浮上するスカムを越流樋の内側に導くガイドとしての機能が一段と強化される。
【００１２】
その上、沈殿槽の中心に設けられた回転軸を中心にしてスカム掻寄板が回転可能に設けられているので、水面付近でスカム掻寄板を回転させると、その回転速度にもよるが遠心力が作用してスカムが外周側に移動しようとする。遠心力の作用によってスカムが移動しようとしても、内周片によってそれを阻止するので、スカム掻寄板が回転する沈殿槽にこの越流樋を用いることは、適している。
【図面の簡単な説明】
【００１３】
【図１】越流樋と沈殿槽本体の周壁との関係を示す拡大断面図である。
【図２】越流樋と沈殿槽本体の周壁とスカム排出樋との関係を示す拡大断面図である。
【図３】越流樋の形状を示す正面図である。
【図４】沈殿槽の概要を示す断面図である。
【図５】図４のＡ−Ａ線断面図である。
【図６】越流樋の構成を示す拡大断面図である。
【発明を実施するための形態】
【００１４】
沈殿槽は図４又は図５に示すように、沈殿槽本体１と、沈殿槽本体１内へ汚濁水を流入させる汚濁水流入装置２と、沈殿槽本体１の底に溜まる汚泥を回収する汚泥回収装置３と、沈殿槽本体１の水面に浮上するスカムＳを回収するスカム回収装置４と、汚濁水からスカムＳ及び汚泥が取り除かれた汚水（上澄水）を排出する汚水排出装置５とを備えるものである。以下、これらの構成について詳述する。
【００１５】
沈殿槽本体１は例えばコンクリート製であって、平面視すると、周壁１１の内周面が円形となっている。そして、内周面を円筒状にしてある周壁１１の下端部が床壁１２で塞がれている。床壁１２の上面は、中心部が周囲に比べて深くなるテーパー面に形成されている。周壁１１の上端部には天井１３が設けられ、天井１３にはモータ１４（減速モータ）及びベアリング１５が載せられている。そして、モータ１４によって回転させる回転軸１６がベアリング１５によって沈殿槽本体１の中心位置において吊り下げられている。
【００１６】
汚濁水流入装置２は、周壁１１の外側から内側に流入管２１を導いている。流入管２１は、沈殿槽本体１の中心部付近にまで横向きに延長しており、その先部が上向きになっている。円筒状のバッフルプレート２２が回転軸１６を中心にして同心円状に設けられている。バッフルプレート２２は、水面下に配置され、回転軸１６に対して放射状に延長する支持アーム２３によって固定されている。バッフルプレート２２の中央部付近の下側からその内部に流入管２１の先部が挿入されている。
【００１７】
流入管２１からバッフルプレート２２内に放流された汚濁水は、バッフルプレート２２内で勢いが弱まり、汚濁水に含まれるスカムＳが浮上し、汚濁水に含まれる汚泥が沈む。また、流入管２１の先部が上向きとなっているので、スカムＳが浮き易くなり、バッフルプレート２２の上側つまり沈殿槽本体１の中心側にスカムＳが集中し易くなっている。
【００１８】
汚水排出装置５は、図１〜図５に示すように沈殿槽本体１の周壁１１の上部であってその内周側に越流樋５１を設け、越流樋５１の一部に汚水排出管５２を接続し、汚水排出管５２を沈殿槽本体１の外部に導いている。越流樋５１は例えば金属製であって、周壁１１の内周側の全周に亘ってドーナツ形状に設けられている。しかも、越流樋５１は、周壁１１に対してその全周の複数個所においてブラケット５３を介して内側に離れて取り付けられている。従って、沈殿槽本体１の周壁１１と越流樋５１とが離れた領域は、平面視するとドーナツ形状となっており、上澄水回収領域（汚水回収領域）となる。また、越流樋５１の内側に囲まれた領域は、平面視すると円形状となっており、スカム回収領域となる。
【００１９】
越流樋５１の断面形状は、上向きに開口する溝形状であって、沈殿槽本体１の中心に対して同心円状に内外に配置される外周片５４及び内周片５５、並びに外周片５４と内周片５５の双方の下端部を繋いで塞ぐ樋底５６から構成されている。
【００２０】
外周片５４は越流堰であって、これにより水面の高さが決まる。外周片５４は、内周片５５よりも低く形成され、その頂部を波形形状（三角形の切欠が連続する形状）としてある。外周片５４の外側に位置する上澄水回収領域の汚水が外周片５４を乗り越えて、越流樋５１の中に流入する。
【００２１】
また、外周片５４には汚水排出管５２が連結しており、汚水排出管５２が沈殿槽本体１の外側に設置された別の槽に導かれている。
【００２２】
内周片５５は堤防のように作用するもので、スカム回収領域に溜まるスカムＳが乗り越えてこないようになっている。
【００２３】
樋底５６は、その断面が三角形状となっている。また、樋底５６の底面は、その外周部が内周部よりも低いテーパー面に形成されている。従って、樋底５６の底面の真下に浮上してきたスカムＳは、テーパー面に沿って内周片５５の内側に位置するスカム回収領域に導かれる。
【００２４】
越流樋５１は言い換えれば、図６に示すように、上向きに開口する断面溝形で且つ平面視して円形の樋上部６１と、樋上部６１の下端の内周端及び外周端に接合する断面Ｖ字状の樋下部６５とから構成されている。
樋上部６１は、その半径方向内側に位置する内片６２と、その半径方向外側に位置する外片６３と、内片６２と外片６３との下端部を接合する底片６４とを備えている。そして内片６２が内周片５５であり、外片６３が外周片５４の上部である。なお内周片５５でもある内片６２とスカム掻寄板４１（スカム用掻寄板本体４１ｂ）の放射状に延長する方向の外側先端との間には隙間Ｓが形成されている。
また、樋下部６５は、断面Ｖ字状をなし、半径方向外側に位置する一片６６と、半径方向内側に位置すると共に一片６６の下端部に接合する他片６７とを備えている。そしてＶ字状の一片６６が外周片５４の下部であり、Ｖ字状の他片６７が樋底５６である。
【００２５】
スカム回収装置４は、前述のモータ１４と、ベアリング１５と、回転軸１６、並びに回転軸１６を中心にして水面付近で回転するスカム掻寄板４１と、水面付近に配置される勾配の付いたガイド板４２であってスカム掻寄板４１が擦り（こすり）ながら通過するものと、ガイド板４２の円周方向奥側に配置されるスカム排出樋４３と、スカム排出樋４３に連結するスカム排出管４４を備える。
【００２６】
スカム掻寄板４１は、回転軸１６に対して放射状に延長する状態で固定されるスカム用アーム４１ａと、スカム用アーム４１ａに沿って固定される柔軟なゴム状のスカム用掻寄板本体４１ｂとから構成されている。スカム用掻寄板本体４１ｂは、水面よりも上から水中に達するまで垂下する状態である。
【００２７】
ガイド板４２は、図４又は図５に示すように、回転軸１６を中心として、その外周近傍から放射状に延長する平面視扇状（扇紙状）であって、スカム掻寄板が接近する方向に向かって徐々に低くなる勾配の付いた螺旋状のものである。
【００２８】
スカム排出樋４３は図４又は図５に示すように、断面Ｕ字状に上向きに開口して形成され、この断面Ｕ字状の内周側及び外周側が閉鎖されている。また、平面視すると、スカム排出樋４３は、回転軸１６を中心にして、その外周近傍から越流樋５１まで放射状に延長している。しかも、回転軸１６に近づくにつれて断面Ｕ字状の間隔が狭くなっている。
【００２９】
さらに、スカム排出樋４３は、その外周側が越流樋５１の内周片５５に溶着等によって固定されている。つまり、スカム排出樋４３は、越流樋５１によって安定して片持ち支持されている。また、スカム排出樋４３の底は、外周部に向かって徐々に低くなるように勾配が付いており、その外周部の底にスカム排出管４４が連結されている。スカム排出管４４は、斜めに垂下する状態で沈殿槽本体１の外側に導かれている。
【００３０】
そして、回転軸１６の回転によってスカム掻寄板４１が回転することにより、水面に浮くスカムＳは、変形するスカム用掻寄板本体４１ｂによって掻き寄せられてガイド板４２の上に移動し、スカム排出樋４３の中に落下し、スカム排出管４４を経て、沈殿槽本体１の外側に設置された別の槽に回収される。
【００３１】
汚泥回収装置３は、前述のモータ１４と、ベアリング１５と、回転軸１６、並びに回転軸１６を中心にして沈殿槽本体１の底部で回転する汚泥掻寄板３１と、沈殿槽本体１の床壁１２に設置される汚泥排出管３２を備える。
【００３２】
汚泥掻寄板３１は、回転軸１６に対して放射状に延長する状態で固定される汚泥用アーム３１ａと、汚泥用アーム３１ａに沿って間隔をあけてその下側に固定される汚泥用掻寄板本体３１ｂとから構成されている。汚泥用掻寄板本体３１ｂは、斜めに固定され、沈殿槽本体１の底の汚泥が中心に向かうようになっている。
【００３３】
回転軸１６の回転によって汚泥掻寄板３１が一緒に回転することにより、底の汚泥は掻き寄せられて中央部に集められ、汚泥排出管３２から沈殿槽本体１の外側に設置された別の槽に回収される。
【００３４】
本発明は上記実施形態に限定されない。たとえば、外周片５４と沈殿槽本体１の周壁１１とを離す間隔は、沈殿槽の大きさに応じて設定する。また、天井１３は、少なくともモータ１４やベアリング１５等を支持できればよく、沈殿槽本体１の上方全域を覆う必然性はない。
【００３５】
図面上、回転軸１６の真上にモータ１４を記載して、モータ１４の原動軸と回転軸１６を同軸としてあるが、回転軸１６の横にモータ１４を配置し、モータ１４の原動軸と回転軸１６とを直交させて、ベベルギヤ等の伝達機構によって、原動軸の回転を回転軸１６に伝えるものであっても良い。
【００３６】
また、沈殿槽本体１については槽としての機能を果たすのであれば材料を問わず、コンクリート製に限らず、ステンレス製等であっても良い。同様に、越流樋５１も樋としての機能を果たすのであれば、金属製に限らず、塩化ビニル等の合成樹脂や、ＦＲＰであっても良い。
【符号の説明】
【００３７】
１沈殿槽本体                          ２汚濁水流入装置
３汚泥回収装置                        ４スカム回収装置
５汚水排出装置
Ｓスカム
１１周壁                              １２床壁
１３天井                              １４モータ
１５ベアリング                        １６回転軸
２１流入管                            ２２バッフルプレート
２３支持アーム
３１汚泥掻寄板
３１ａ汚泥用アーム                    ３１ｂ汚泥用掻寄板本体
３２汚泥排出管
４１スカム掻寄板
４１ａスカム用アーム                  ４１ｂスカム用掻寄板本体
４２ガイド板
４３スカム排出樋                      ４４スカム排出管
５１越流樋                            ５２汚水排出管
５３ブラケット                        ５４外周片
５５内周片                            ５６樋底
６１樋上部 ６２内片
６３外片 ６４底片
６５樋下部 ６６一片
６７他片
【図１】
0005478202.tif 000002
【図２】
0005478202.tif 000003
【図３】
0005478202.tif 000004
【図４】
0005478202.tif 000005
【図５】
0005478202.tif 000006
【図６】
0005478202.tif 000007